(57)【特許請求の範囲】
【請求項１】
着座した被施術者に理容または美容を受けさせるための理美容用椅子であって、
鉛直上下方向に延びる昇降可能なロッドを有する支柱と、
該ロッドの中心回りに回転可能になるように前記ロッドの上端部に支持され、被施術者の臀部ないし大腿部を載せる座部と、
前記座部の後側に設けられ、被施術者の上半身を支える背もたれ部と、
前記座部に対し、該座部の左右中央を通る鉛直面上にあって前記ロッドの中心よりも後方の連結位置で、前記座部の回転とともに移動する鉛直上下方向に延びる軸部により取り付けられ、前記軸部を軸に回動可能な物置手段と、を備える、理美容用椅子。
【請求項２】
請求項１に記載の理美容用椅子において、
前記物置手段は、
前記座部の下側に取り付けられたブラケットと、
前記ブラケットに固定された前記軸部と、
前端部が前記軸部に支持され、前記座部の下側を外方に向いて延びる延伸部と、前記延伸部に連続し、前記座部の外側を上方に向かうように延びる起立部とを有し、前記軸部を軸に回動可能なアーム部と、
前記アーム部の起立部に固定される物置部と、を含む、理美容用椅子。
【請求項３】
請求項２に記載の理美容用椅子において、
前記物置手段のアーム部が前記座部の左右側方から前記背もたれ部の後方までの範囲内で回動するように、前記アーム部の回動範囲を規制する回動規制手段が設けられている、理美容用椅子。
【請求項４】
請求項２または３に記載の理美容用椅子において、
前記座部の下部に、前記支柱のロッドが挿入される挿入孔を有するフランジが固定され、
前記ブラケットは、前記フランジに取り付けられることで前記座部の下側に取り付けられている、理美容用椅子。
【請求項５】
請求項４に記載の理美容用椅子において、
前記ブラケットは、前記フランジに取り付けるための複数の取付部を有し、
前記取付部の一部は、前記ブラケットの端部に開口した切欠部からなる、理美容用椅子。
【発明の詳細な説明】
【技術分野】
【０００１】
本発明は、理美容用椅子に関する。
【背景技術】
【０００２】
従来、この種の理美容用椅子として、特許文献１には、座部と、座部の後側に設けられる背もたれ部と、昇降可能なロッドを有する支柱と、座部の下面に固定され、ロッドの上端に取り付けられるフランジと、支柱とフランジの円筒部との間に取り付けられ、ロッドの中心回りに回動するテーブル取付板と、テーブル取付板の先端に取り付けられる起立体と、起立体の上端に取り付けられるテーブルと、を備える理美容椅子が開示されている。
【０００３】
また、特許文献２には、座部と、座部の後側に設けられる背もたれ部と、プランジャを有する油圧シリンダと、座部の下面に固着される座板と、プランジャよりも後方に偏位した位置に設けられて座板を旋回可能に取付けるピボットを有し、プランジャの上端部に固定される支板と、支板の後端に設けられて平面方向に回動可能な基部腕板と、基部腕板の端部に設けられて平面方向に回動可能な先部腕板と、先部腕板に設けられるトレーと、を備える理美容椅子が開示されている。
【先行技術文献】
【特許文献】
【０００４】
【特許文献１】特開２０１１−２１７８４３号公報
【特許文献２】実公昭６３−０２２９２０号公報
【発明の概要】
【発明が解決しようとする課題】
【０００５】
ところで、一般的な理美容用椅子では、理美容を行う施術者が立ち姿勢の状態で、椅子に座っている被施術者の頭部を上方から見やすくするために、座部の初期高さを予め可能な限り低くしておくことが求められている。しかしながら、特許文献１の椅子では、ロッドを軸に回動するテーブル取付板が支柱とフランジの円筒部との間に取り付けられているため、このようなテーブル機構を備えない椅子と比較した場合、テーブル取付板の厚みが座部の初期高さを上げてしまうことになる。このため、特許文献１のテーブル機構を備える理美容用椅子では、座部の初期高さを予め低くしておくことが難しいという問題があった。
【０００６】
また、特許文献１の椅子では、座部の回転中心とテーブル取付板の回動中心とが共通しており、テーブル取付板の回動中心が背もたれ部にもたれた被施術者の重心位置よりも前側に位置することになる。すなわち、特許文献１の椅子は、座部に座っている被施術者の重心位置とテーブル回転板の回動中心とが一致していないため、被施術者の重心回りにテーブルを移動させることができず、物置手段を被施術者が使いやすい位置に移動させにくい構造になっていた。
【０００７】
また、特許文献２の椅子では、支板にトレーの回動軸が取り付けられており、座部にトレーの回動軸が直接取り付けられていない。すなわち、トレーの回動軸が座部とともに回転しないため、座部が回転してしまうと、トレーの位置が座部との関係で相対的に変わることになる。したがって、被施術者が座部を回転させると、それまで被施術者にとって使いやすい位置にあったテーブルが被施術者の意に沿わない位置に変わってしまうという問題が生じる。
【０００８】
本発明の目的は、理美容用椅子に取り付けられるテーブル等の物置手段の取付構造を工夫することで、被施術者の使用状況に応じて、理美容用椅子に取り付けられる物置手段をより使いやすい位置に配置できるようにすることにある。
【課題を解決するための手段】
【０００９】
上記の目的を達成するために、本発明に係る理美容用椅子では、座部の左右中央を通る鉛直面上にあって支柱のロッドの中心よりも後方の連結位置で、座部の回転とともに移動する軸部を軸に回動可能な物置手段を設けることにより、物置手段を被施術者の使用状況に応じてより使いやすい位置に配置できるようにした。
【００１０】
具体的には、本発明の第１の形態による理美容用椅子は、着座した被施術者に理容または美容を受けさせるための理美容用椅子であって、鉛直上下方向に延びる昇降可能なロッドを有する支柱と、該ロッドの中心回りに回転可能になるようにロッドの上端部に支持され、被施術者の臀部ないし大腿部を載せる座部と、座部の後側に設けられ、被施術者の上半身を支える背もたれ部と、座部に対し、該座部の左右中央を通る鉛直面上にあってロッドの中心よりも後方の連結位置で、座部の回転とともに移動する鉛直上下方向に延びる軸部により取り付けられ、軸部を軸に回動可能な物置手段と、を備えることを特徴とする。
【００１１】
この第１の形態によれば、物置手段が座部に対し、座部の左右中央を通る鉛直面上にあってロッドの中心よりも後方の連結位置で、座部の回転とともに移動する鉛直上下方向に延びる軸部により取り付けられているため、支柱と座部との間に何らの取付部材を介在させることがなく、座部の初期高さを予め低くしておくことができる。また、軸部の連結位置が座部に座った被施術者の重心位置に近づくことになり、このことにより、被施術者の重心位置と物置手段の回動中心とを略一致させた状態で、被施術者が使いやすい位置に物置手段を移動させることができる。さらに、座部の回転とともに物置手段の軸部も回転するため、座部を回転させても、物置手段を常に使いやすいところに配置しておくことができる。
【００１２】
第２の形態による理美容用椅子では、第１の形態において、物置手段は、座部の下側に取り付けられたブラケットと、ブラケットに固定された軸部と、前端部が軸部に支持され、座部の下側を外方に向いて延びる延伸部、およびこの延伸部に連続し、座部の外側を上方に向かうように延びる起立部を有し、軸部を軸に回動可能なアーム部と、アーム部の起立部に固定される物置部と、を含むことを特徴とする。
【００１３】
この第２の形態によれば、軸部を固定したブラケットが座部の下側に取り付けられることで、上記連結位置に軸部を容易に配置させることができる。また、軸部を軸に回動可能なアーム部により、座部に座っている被施術者が使いやすい高さで、起立部に固定される物置部を座部および背もたれ部の周りに移動させることができる。
【００１４】
第３の形態による理美容用椅子は、第２の形態において、物置手段のアーム部が座部の左右側方から背もたれ部の後方までの範囲内で回動するように、アーム部の回動範囲を規制する回動規制手段が設けられていることを特徴とする。
【００１５】
この第３の形態によれば、回動規制手段により、物置手段が座部の前方に移動しないように規制されているため、物置手段のアーム部と座部に座っている被施術者の脚部との接触を未然に防ぐことができる。
【００１６】
第４の形態による理美容用椅子は、第２または３の形態において、座部の下部に、支柱のロッドが挿入される挿入孔を有するフランジが固定され、ブラケットは、フランジに取り付けられることで座部の下側に取り付けられていることを特徴とする。
【００１７】
この第４の形態によれば、支柱と座部とを互いに連結するフランジに物置手段のブラケットが取り付けられるため、フランジを介して物置手段を座部の下側に容易に取り付けることができる。
【００１８】
第５の形態による理美容用椅子では、第４の形態において、ブラケットは、フランジに取り付けるための複数の取付部を有し、取付部の一部は、ブラケットの端部に開口した切欠部からなることを特徴とする。
【００１９】
この第５の形態によれば、ブラケットの取付部の一部が切欠部であり、この切欠部をフランジのねじ部材に差し込むことによって、フランジにブラケットを取り付けるときの位置調整を容易に行うことができる。
【発明の効果】
【００２４】
本発明に係る理美容用椅子によれば、被施術者の状況に応じて、テーブル等の物置手段を使いやすい位置に配置できる。
【図面の簡単な説明】
【００２５】
【図１】図１は、本発明の第１の実施形態に係る理美容用椅子を示す斜視図である。
【図２】図２は、背もたれ部の後方に物置手段を移動させた状態における理美容用椅子の正面図である。
【図３】図３は、テーブルの移動軌跡を模式的に表した理美容用椅子の平面図である。
【図４】図４は、支柱および物置手段を取り付ける前の理美容用椅子を下側から見て示す斜視図である。
【図５】図５は、物置手段の分解斜視図である。
【図６】図６は、物置手段を組み立てた状態の斜視図である。
【図７】図７は、物置手段を座部の下側に取り付けた状態の図４相当図である。
【図８】図８は、図２のVIII−VIII線断面図である。
【図９】図９は、図８の部分拡大図である。
【図１０】図１０は、本発明の第２の実施形態に係る理美容用椅子の側面図である。
【図１１】図１１は、図１０の理美容用椅子における図９相当図である。
【発明を実施するための形態】
【００２６】
以下、本発明の実施形態を図面に基づいて詳細に説明する。以下の実施形態の説明は、本質的に例示に過ぎず、本発明、その適用物あるいはその用途を制限することを意図するものではない。
【００２７】
［第１の実施形態］
図１〜図９は、本発明の第１の実施形態に係る理美容用椅子１０を示す。この理美容用椅子１０は、着座した被施術者に理容または美容を受けさせるための椅子である。
【００２８】
図１および図２に示すように、理美容用椅子１０は、椅子全体を支える支柱２０を備えている。この支柱２０は、略円錐台状に形成されて室内の床面に設置される基台部２１を有している。この基台部２１の上側には、鉛直上下方向に延びる筒状の脚部２２が一体的に設けられており、この脚部２２の内部構造全体が公知の構造による油圧シリンダとして機能する。また、脚部２２の内部には、鉛直上下方向に延びる昇降可能なロッド２３が設けられており、このロッド２３は脚部２２の上端から突出している。そして、脚部２２内部の油圧シリンダ機能により、脚部２２の後側に設けた足踏み部２４を踏み込むと、油圧シリンダ内のタンクに貯油された油がロッド２３を収納するロッド収納筒２５（図８参照）に注入されロッド２３が上昇し、足踏み部２４を最下降位置まで踏み込むと、ロッド収納筒２５に注入された油が油圧シリンダ内のタンクに排出され、ロッド２３は最下降位置まで下降するようになっている。このようなロッド２３の昇降動作によって、後述する座部３０および背もたれ部５０が上下方向に昇降するようになっている。
【００２９】
また、図９に示すように、ロッド２３は、その上端部２３ｂが先細りの形状を有し、ロッド２３の本体部２３ａおよび上端部２３ｂが中心線Ｂを軸に回転するようになっている。ここで、上記足踏み部２４を下側に位置させると、ロッド２３が中心線Ｂを軸に回転可能となる一方、足踏み部２４を上方に蹴上げて上側に位置させると、ロッド２３の回転が阻止されるようになっている。
【００３０】
また、図１および図２に示すように、理美容用椅子１０は、被施術者の臀部ないし大腿部を載せる座部３０を備えている。図８および図９に示すように、この座部３０は、平板状に形成された座板部３１と、この座板部３１の上側で支持され、被施術者の臀部ないし大腿部を載せるクッション部３２とを有している。座板部３１の下面には、後述するフランジ６０が取り付けられており、このフランジ６０を介して、座板部３１はロッド２３の上端部２３ｂに支持されている。すなわち、座部３０は、ロッド２３の上端部２３ｂに支持されて、ロッド２３が回転することにより、上記ロッド２３の中心線Ｂを軸に回転可能になっている。また、脚部２２内部の油圧シリンダ機能によるロッド２３の昇降動作に伴い、座部３０が上下方向に昇降するようになっている。
【００３１】
また、図８および図９に示すように、座部３０は、その前側が後側よりも上方に位置するように水平面に対して所定の角度θだけ傾いている。この座部３０の傾斜角度θは、座部３０に座った被施術者の大腿部を被施術者のリラックス姿勢と施術者の施術可能な被施術者の姿勢が両立する角度に設定されており、例えば、座部３０が水平な床面に対して５°だけ上方に傾いている。さらに、図１および図２に示すように、座部３０には、左右両側における前端部分のそれぞれに、後述する背もたれ部５０を支持するための左右一対の支持台３３，３３が設けられている。この左右一対の支持台３３，３３の各々は、座板部３１に固定されている。
【００３２】
さらに、図１および図２に示すように、上記座部３０には、被施術者が座部３０に腰掛けた足を載せるための足置き部４０が一体的に取り付けられている。図１および図７に示すように、この足置き部４０は、上端部が支柱２０よりも前方の位置の座板部３１下面に取り付けられた取付板４３を有し、さらにこの取付板４３に溶接により固定されたパイプ部４２を有している。このパイプ部４２は、座部３０の前方に向かって斜め下方に延び、その下端部（前端部）には足置き台４１が取付固定されている。
【００３３】
また、図１および図２に示すように、上記座部３０の後側には、被施術者の上半身を支える背もたれ部５０が設けられている。図８に示すように、この背もたれ部５０は、被施術者の上半身を支えるクッション部５１を有している。また、背もたれ部５０は、左右一対の肘掛け部５２，５２と一体的に形成されており、上記肘掛け部５２，５２の下端部分の各々が座部３０に設けられた左右一対の支持台３３，３３にそれぞれ固定されている。
【００３４】
図１に示すように、座部３０の下面には、支柱２０と座部３０とを互いに連結するフランジ６０が取り付けられている。このフランジ６０は、例えば、アルミニウム合金、マグネシウム合金等によるダイカスト、またはアルミニウム、鋳鉄等による鋳物からなり、図４に示すように、略四角形に形成された平板部６１を有している。この平板部６１の四隅の各々には、座板部３１の下面にフランジ６０を平板部６１が裏面（上面）で座板部３１下面に対向するように取り付けるための取付孔６２がそれぞれ設けられている。また、平板部６１の中央には円筒状の円筒部６３が平板部６１の表側（下側）に突出するように設けられている。この円筒部６３には、支柱２０のロッド２３の上端部２３ｂが挿入される挿入孔６４が設けられている。図９に示すように、この挿入孔６４は、平板部６１の表面から裏面に向かって内径が小さくなるようにテーパ形状に形成されている。
【００３５】
図８および図９に示すように、平板部６１は、上記挿入孔６４の中心線Ｂが鉛直上下方向に沿った状態で、座部３０の傾斜角度θと同じ角度だけ傾斜している。すなわち、鉛直上下方向に延びるロッド２３の上端部２３ｂが挿入孔６４に挿入された状態で、平板部６１が角度θだけ後下がりに傾斜するようになっている。このため、ロッド２３の上端部２３ｂが挿入孔６４に挿入された状態において、平板部６１を座板部３１の下面に固定すると、図８および図９に示すように、座部３０の前側が後側よりも上方に角度θだけ傾くようになる。その結果、座部３０に座った被施術者の大腿部が上方に持ち上げられる。
【００３６】
本発明の特徴として、図１〜図３に示すように、理美容用椅子１０は、座部３０および背もたれ部５０の周囲で回動する物置機構７０（物置手段）を備えている。図５〜図７に示すように、物置機構７０は、座部３０の下側にあるフランジ６０に取り付けられた平面視で略Ｌ字状の板材からなるブラケット７１を備えている。図５に示すように、このブラケット７１は、フランジ６０に取り付けられる略Ｌ字状に折れ曲がったフランジ取付部７１ａを有している。図９に示すように、このフランジ取付部７１ａは座部３０の傾斜角度θに合わせて傾斜しており、フランジ取付部７１ａの後端には、略台形板状の軸部固定部７１ｅが略Ｌ字形状の一方の辺部から突出するように一体に設けられている。この軸部固定部７１ｅは、後述する軸部７２が固定される部分であり、図９に示すように、フランジ取付部７１ａはフランジ６０に取り付けられた状態で、軸部固定部７１ｅが水平になるように、フランジ取付部７１ａと軸部固定部７１ｅとは角度を持って連続して形成されている。
【００３７】
図５〜図７に示すように、ブラケット７１のフランジ取付部７１ａには、フランジ６０に取り付けるためのねじ取付部としての貫通孔７１ｂおよび切欠部７１ｃ，７１ｃが設けられている。貫通孔７１ｂは、フランジ取付部７１ａの略Ｌ字形状のコーナー部分にフランジ取付部７１ａを貫通するように設けられている一方、切欠部７１ｃ，７１ｃは、フランジ取付部７１ａを表裏面間で貫通する貫通孔の周囲の一部をブラケット７１の端部に開口するように切り除いたものであり、フランジ取付部７１ａの２つの先端部分の各々に設けられている。図５および図７に示すように、この切欠部７１ｃ，７１ｃの各々は、ブラケット７１がフランジ６０に取り付けられた状態において、椅子１０の前方に向くように開口している。また、このフランジ取付部７１ａには、軸部固定部７１ｅに隣接する部分に、後述する回動規制部７５を固定するための貫通孔７１ｄが設けられている。
【００３８】
図１および図５に示すように、物置機構７０は、座部３０の回転とともに移動する軸部７２を備えている。図５および図８に示すように、この軸部７２は、物置機構７０がブラケット７１で座部３０の下側に取り付けられた状態で、座部３０の左右中央を通る仮想平面の鉛直面Ｄ上にあって支柱２０のロッド２３の中心線Ｂよりも後方の連結位置（中心線Ｃの位置）に配置されるように、ブラケット７１の軸部固定部７１ｅに固定され、この軸部７２と上記フランジ取付部７１ａの貫通孔７１ｄとは上記鉛直面Ｄ上に位置している。すなわち、軸部７２は座部の下側に、ロッド２３の中心線Ｂよりも後方の位置に相当する、座部３０に座った被施術者の重心位置に、軸部７２の連結位置を近づけた状態で設けられている。図５および図６に示すように、この軸部７２は、軸部固定部７１ｅの上記連結位置において、ブラケット７１を貫通した状態で溶接により一体化されている。すなわち、さらに、図５に示すように、軸部７２は、軸部固定部７１ｅからそれを貫通して垂下しかつ上端部で軸部固定部７１ｅに溶接一体化された嵌合部７２ａを有し、この嵌合部７２ａの下端部（先端）には雄ねじ部７２ｂが形成されている。
【００３９】
また、軸部７２は、図８および図９に示すように、ブラケット７１のフランジ取付部７１ａが座部３０の傾斜角度θに沿って取り付けられた状態で、水平となるブラケット７１の軸部固定部７１ｅに固定されている。すなわち、軸部７２は、ブラケット７１が座部３０の下側に取り付けられた状態で、座部３０の下方に向かうように鉛直上下方向（図９の中心線Ｃ）に沿って延びている。
【００４０】
図１に示すように、物置機構７０は、軸部７２を軸に回動可能なアーム部７３を備えている。図５に示すように、このアーム部７３は、例えば中間部分で略９０°に曲げ加工された略Ｌ字状の１本のパイプ材からなるもので、座部３０の下側を外方に向いて延びる延伸部７３ｅと、下端が延伸部７３ｅの後端に連続し、座部３０の外側を上方に向かうように延びる起立部７３ｆとを有する。延伸部７３ｅの前端部分には、軸部７２を軸に回転可能に支持される軸受け７３ａが連結部７３ｄを介して一体に設けられている。この軸受け７３ａは、軸部７２の嵌合部７２ａに、軸受け７３ａの長手方向両端部分のそれぞれに樹脂製または金属製のブッシュ７３ｂ，７３ｂを介在させた状態で嵌合されている。この嵌合状態で、軸部７２の雄ねじ部７２ｂに上下２つのナット７３ｃ，７３ｃ（下側ナット７３ｃは上側ナット７３ｃの緩み防止用）が螺合されて締結されることにより、軸受け７３ａが軸部７２に対して回動可能に支持されている。
【００４１】
なお、上記連結部７３ｄは、図５に示すように、軸受け７３ａの側面に固定されている。この連結部７３ｄは、板状部材を曲げ加工により略コ字状に成形されており、連結部７３ｄにおける両側壁の前端部分が軸受け７３ａの側面部分にそれぞれ溶接されている。また、図５〜図７に示すように、アーム部７３の延伸部７３ｅは、座部３０の下側を外方に向かって延びていて、上記連結部７３ｄの底面に載せられた状態で、連結部７３ｄに溶接されている。さらに、アーム部７３の起立部７３ｆは、理美容用椅子１０の外側を上方に向かうように延びている。
【００４２】
上記起立部７３ｆの上端には、矩形状の板材からなるテーブル固定板７３ｇが設けられている。また、起立部７３ｆの屈曲部分近傍には、本棚固定板７３ｈが設けられている。そして、図５〜図７に示すように、アーム部７３の起立部７３ｆには物置部７４が固定されている。この物置部７４は、テーブル７４ａおよび本棚７４ｂからなり、テーブル７４ａは、円盤状の形状を有するもので、上記テーブル固定板７３ｇの上面にねじ止めにより固定され、図１に示すように、肘掛け５２の上面と略同じ高さに配置されている。このテーブル７４ａの上に被施術者の持ち物等を適宜置くことができるようになっている。
【００４３】
また、図５および図６に示すように、本棚７４ｂは、例えば曲げ加工により略コ字状に形成された金属板材からなり、上端部がテーブル７４ａとテーブル固定板７３ｇとの間に挟まれた状態で、また背面部分の下側が本棚固定板７３ｈにそれぞれねじ止めにより固定されており、この折り曲げられた本棚７４ｂの内側の底面部分に雑誌や新聞などを適宜置くことができるようにしている。
【００４４】
さらに、図５〜図７に示すように、物置機構７０は、アーム部７３の回動範囲を規制する回動規制部７５（回動規制手段）を備えている。この回動規制部７５は、アーム部７３が座部３０の左右側方から背もたれ部５０の後方までの範囲内で回動するように、アーム部７３の回動範囲を規制する。具体的には、図５に示すように、回動規制部７５は、円筒状の円筒部７５ａを有しており、この円筒部７５ａにねじ７５ｂが挿通され、このねじ７５ｂは上記ブラケット７１において上記鉛直面Ｄ上に位置する貫通孔７１ｄに下側から挿通され、このねじ７５ｂの上端部にはナット７５ｃが螺合されて締結されており、このことで、円筒部７５ａがブラケット７１に固定されている。そして、図１および図７に示すように、アーム部７３が座部３０に向かって回転すると、連結部７３ｄの側壁が円筒部７５ａの側面に接触するようになっており、この接触によって、座部３０の側方から前方までの範囲にテーブル７４ａが移動しないようにアーム部７３の回動範囲が規制されている。なお、円筒部７５ａに用いられる材質としては、低反発性の樹脂またはゴム等を用いるのが好ましい。連結部７３ｄの側壁が円筒部７５ａの側面に接触する際、円筒部７５ａの弾性により連結部７３ｄにおける過度な跳ね返りを防ぐためである。
【００４５】
ここで、図４および図７に示すように、座板部３１の下面にフランジ６０が取り付けられている場合、その状態から物置機構７０を取り付けるときには、フランジ６０の取付孔６２の各々に予め取り付けられているねじ部材を少し緩めた状態で、ブラケット７１をスライドさせながら、ねじ部材のそれぞれにブラケット７１の切欠部７１ｃ，７１ｃを差し込み、軸部７２の上記連結位置（中心線Ｃ）に配置されるように、フランジ６０に対するブラケット７１の取付位置を調整しながら仮止めする。そして、位置調整を終えた後に貫通孔７１ｂにもねじ部材を通し、全てのねじ部材を本締めする。このように、軸部７２が上記連結位置（中心線Ｃ）に配置されるように位置調整しながら、ブラケット７１をフランジ６０に取り付ける。
【００４６】
図３は、座部３０および背もたれ部５０の周囲を移動するテーブル７４ａの移動軌跡を模式的に表している。図３に示すように、この実施形態における物置機構７０の回動範囲は、アーム部７３の回動範囲を規制する上記回動規制部７５により、例えば２４０°に制限されている。この物置機構７０のテーブル７４ａは、座部３０の側方に向かうにつれて座部３０に近づいていく一方、背もたれ部５０の後方に向かうにつれて背もたれ部５０から所定の距離をおいて離れていく。これは、物置機構７０の回動中心である軸部７２の連結位置（中心線Ｃ）を座部３０に座った被施術者の重心位置に近づけたことによる。このため、被施術者の重心位置と物置機構７０の回動中心とを略一致させた状態で、座部３０に座っている被施術者が使いやすい位置にテーブル７４ａ等を移動させることができる。
【００４７】
以上のように、本発明の第１の実施形態に係る理美容用椅子１０では、物置機構７０が座部３０に対し、その座部３０の左右中央を通る鉛直面Ｄ上にあってロッド２３の中心よりも後方の連結位置で、座部３０の回転とともに移動する鉛直上下方向に延びる軸部７２により取り付けられているため、支柱２０と座部３０との間に何らの取付部材を介在させることなく、座部３０の初期高さを予め低くしておくことができる。また、軸部７２の連結位置が座部３０に座った被施術者の重心位置に近づくことにより、被施術者の重心位置と物置機構７０の回動中心とを略一致させた状態で、被施術者が使いやすい位置にテーブル７４ａ等を移動させることができる。さらに、座部３０の回転とともに物置機構７０の軸部７２も回転するため、座部３０を回転させても、物置機構７０のテーブル７４ａ等を常に使いやすいところに配置しておくことができる。
【００４８】
また、軸部７２を固定したブラケット７１がフランジ６０を介して座部の下側に取り付けられることで、上記連結位置に軸部７２を容易に配置させることができる。また、軸部７２を軸に回動可能なアーム部７３により、座部３０に座っている被施術者が使いやすい高さで、起立部７３ｆに固定されるテーブル７４ａ等の物置部７４を座部３０および背もたれ部５０の周りに移動させることができる。
【００４９】
また、回動規制部７５により物置機構７０が座部３０の前方に移動しないように規制されているため、物置機構７０のアーム部７３と座部３０に座っている被施術者の脚部との接触を未然に防ぐことができる。
【００５０】
また、座部３０の下部に、支柱２０のロッド２３が挿入される挿入孔６４を有するフランジ６０が固定され、ブラケット７１は、フランジ６０に取り付けられた状態で座部３０の下側に取り付けられている。すなわち、支柱２０と座部３０とを互いに連結するフランジ６０に物置機構７０のブラケット７１が取り付けられるため、物置機構７０を座部３０の下側に容易に取り付けることができる。
【００５１】
また、ブラケット７１は、フランジ６０に取り付けるための複数の取付部を有し、取付部の一部は、ブラケット７１の端部に開口した切欠部７１ｃ，７１ｃを含むため、ブラケット７１の切欠部７１ｃ，７１ｃをフランジ６０のねじ部材に差し込むことによって、フランジ６０にブラケット７１を取り付けるときの位置調整を容易に行うことができる。
【００５２】
また、鉛直上下方向に延びる軸部７２は、ブラケット７１のフランジ取付部７１ａが座部３０の傾斜角度θに沿って取り付けられた状態で、水平となるブラケット７１の軸部固定部７１ｅに固定されているため、座部３０の傾斜角度にかかわらず、テーブル７４ａの載置面を常に水平に維持した状態でテーブル７４ａを座部３０および背もたれ部５０の周りに移動させることができる。
【００５３】
さらに、物置機構７０がフランジ６０を介して座部３０の下側（座板部３１の下面）に直接取り付けられていることから、ロッド２３の昇降動作により座部３０が昇降するとともに、物置機構７０も昇降する。その結果、座部３０の昇降動作に拘わらず、座部３０に座っている被施術者とテーブル７４ａ等との高さ方向における位置関係をそのまま保つことができる。
【００５４】
［第２の実施形態］
図１０および図１１は、本発明の第２の実施形態に係る理美容用椅子１０を示す。この理美容用椅子１０は、座部３０および背もたれ部５０を後方に傾斜させる機構を有する形態であり、その他の主な構成については、第１の実施形態に係る理美容用椅子の構成と同様であり、図１〜図９と同じ部分については同じ符号を付してその詳細な説明は省略する。
【００５５】
すなわち、この実施形態に係る理美容用椅子１０は、座部３０および背もたれ部５０を後方に傾斜させるリンク機構３４を備えている。このリンク機構３４は、座部３０の後側に設けられている左右水平方向の回転軸を中心に、座部３０を前側が上昇するように後ろ回りに回動させることで、座部３０および背もたれ部５０を後方に傾斜させる機構である。図１０および図１１に示すように、座部３０および背もたれ部５０は、リンク機構３４によって角度θ２だけ後方に傾斜している。なお、この実施形態における傾斜角度θ２は、例えば１０°に設定されている。
【００５６】
図１１に示すように、座部３０の座板部３１およびクッション部３２は、リンク機構３４により、角度θ２だけ後方に傾斜している。第２の座板部３５は、リンク機構３４による座部３０および背もたれ部５０の傾斜状態にかかわらず、常に床面の水平面に対して傾斜角度θ１を維持している。なお、この傾斜角度θ１は、第１の実施形態の傾斜角度θと同じ角度（５°）に設定されている。
【００５７】
図１１に示すように、この第２の座板部３５の下面には、フランジ６０が取り付けられ、このフランジ６０に物置機構７０のブラケット７１が取り付けられている。すなわち、第１の実施形態と同様に、鉛直上下方向に延びる軸部７２は、ブラケット７１のフランジ取付部７１ａが第２の座板部３５の傾斜角度θ１に沿って取り付けられた状態で、水平となるブラケット７１の軸部固定部７１ｅに固定されている。このため、リンク機構３４による座部３０および背もたれ部５０の傾斜状態に拘わらず、テーブル７４ａの載置面を常に水平に維持した状態で、テーブル７４ａを座部３０および背もたれ部５０の周りに移動させることができる。
【００５８】
また、第１の実施形態において説明した図３に示すように、この実施形態においても、物置機構７０のテーブル７４ａは、座部３０の側方に向かうにつれて座部３０に近づいていく一方、背もたれ部５０の後方に向かうにつれて背もたれ部５０から所定の距離をおいて離れていく。このため、リンク機構３４により背もたれ部５０を後方に傾斜させても、物置機構７０のテーブル７４ａ等を背もたれ部５０に衝突させることなく円滑に移動させることができる。
【００５９】
［その他の実施形態］
本発明の第１の実施形態に係る理美容用椅子１０では、物置機構７０の物置部７４として、テーブル７４ａおよび本棚７４ｂの両方を備える形態としたが、この形態に限られない。すなわち、テーブル７４ａまたは本棚７４ｂの一方を用いる形態としてもよい。または、物置部７４に相当する構成として、テーブル７４ａおよび本棚７４ｂの他に、例えば、理美容の施術用具を適宜載せることができる載置台を追加してもよい。本発明の第２の実施形態についても同様である。
【００６０】
本発明の第１の実施形態に係る理美容用椅子１０では、座部３０の下面に固定されたフランジ６０に物置機構７０のブラケット７１を取り付けた形態を説明したが、この形態に限られない。すなわち、ブラケット７１を座部３０の下側、すなわち座板部３１の下面に直接取り付ける形態であってもよい。本発明の第２の実施形態に係る理美容用椅子１０では、第２の座板部３５の下面にブラケット７１を直接取り付ける形態であってもよい。
【００６１】
本発明の第１の実施形態に係る理美容用椅子１０では、座部３０の前側が後側よりも上方に傾く形態を用いて説明したが、この形態に限られず、例えば座部３０を水平にしてもよい。このとき、フランジ６０の平板部６１は、挿入孔６４の中心線Ｂを鉛直上下方向に向けた状態で水平に形成されたものが用いられる。また、ブラケット７１のフランジ取付部７１ａについても、軸部固定部７１ｅと同様に水平に形成される。
【００６２】
本発明の第１の実施形態に係る理美容用椅子１０では、足置き部４０を設けた椅子を用いたが、この足置き部４０を設けない形態であってもよい。
【００６３】
以上、本発明についての実施形態を説明したが、本発明は上述の実施形態のみに限定されず、発明の範囲内で種々の変更が可能である。
【産業上の利用可能性】
【００６４】
本発明は、着座した被施術者に理容または美容を受けさせるための理美容用椅子およびそれに用いられる物置手段として産業上の利用が可能である。
【符号の説明】
【００６５】
１０：理美容用椅子
２０：支柱
２３：ロッド
３０：座部
５０：背もたれ部
６０：フランジ
６４：挿入孔
７０：物置機構（物置手段）
７１：ブラケット
７１ｂ：貫通孔
７１ｃ：切欠部
７２：軸部
７３：アーム部
７３ｅ：延伸部
７３ｆ：起立部
７４：物置部
７５：回動規制部（回動規制手段）
Ｄ：鉛直面
【図１】
0006496175.tif 000002
【図２】
0006496175.tif 000003
【図３】
0006496175.tif 000004
【図４】
0006496175.tif 000005
【図５】
0006496175.tif 000006
【図６】
0006496175.tif 000007
【図７】
0006496175.tif 000008
【図８】
0006496175.tif 000009
【図９】
0006496175.tif 000010
【図１０】
0006496175.tif 000011
【図１１】
0006496175.tif 000012